(57)【要約】【課題】  紫外線や赤外線の防止効果に優れ、熱射病や皮膚がんを積極的に予防する学童用日よけを提供する事を目的とする。【解決手段】  金属をスパッタリング法で、布帛からなる支持体に密着にさせた日よけで、帽子に容易に着脱可能とするために、帽子と日よけにマジックテープを装着した。このように構成することにより、取り扱いが簡単で、しかも繊維に密着した金属の極薄膜が、紫外線や赤外線を遮蔽して、涼しい学童用日よけとなる。【選択図】図４
0003114504.tif 000002
【実用新案登録請求の範囲】
【請求項１】
布帛である支持体と、該支持体の片面もしくは両面に、金属層を形成すると共に、該金属層の表面または裏面にマジックテープを装着した学童用日よけ。
【請求項２】
前記学童用日よけを、帽子に装着したマジックテープと互いに連結して使用する学童用日よけ。
【請求項３】
請求項１において上記支持体はポリエステル、ナイロン、アクリル、ポリエチレン、ポリプロピレン、ポリウレタンなどの合成繊維、あるいはその混紡で形成されている織物、編物、不織布である学童用日よけ。
【請求項４】
請求項１において上記金属層はチタン、銀、銅、ステンレス、ニッケル、ゲルマニウムなどの金属、またはこれらの金属の合金を、スパッタリング法により密着させた金属層と支持体からなる学童用日よけ。
【考案の詳細な説明】
【考案の開示】
【考案が解決しようとする課題】
【０００１】  従来、学童や幼稚園児は、校庭や園庭で遊んだり、体育の授業で外に出るとき、特に夏の日差しが強い時期は、帽子を被って日差しを防いでいる。しかし赤外線や紫外線による、熱射病や皮膚がんなどの予防対策を、積極的に防止する対策は今まであまり考えられてこなかった。農家の女性や、ゴルフ場のキャディーさんなどは、つば広の帽子に、布が縫い付けてあるものを被り、その布で首筋やほほの部分を覆い、紫外線や赤外線をしのいでいる。しかし遮熱効果は弱く、日焼けや、シミ、などに悩まされ、さらに皮膚がんの遠因にもなっている。本考案はこのような問題点を解消するために考案され、特に外で遊ぶことの多い子供たちを対象としたもので、紫外線や赤外線の遮蔽効果に優れ、暑さを防ぎ、布帛の柔らかさや通気性といった基材本来の機能を損なうことがなく、裁断や加工も容易な紫外線、赤外線防止布を提供することを目的とする。
【課題を解決するための手段】
【０００２】かかる目的を達成すべく、本考案の学童用日よけは、支持体にチタン、銀、銅、ステンレス、ニッケル、ゲルマニウムを単層または複層にスパッタリング法で加工する。またはこれらの金属の合金を、スパッタリング法で密着させた金属層と、布帛である支持体からなる。
このように構成することにより、チタン、銀、銅、ステンレス、ニッケル、ゲルマニウムの極薄膜が繊維に密着し、紫外線や赤外線を吸収、放射し、高い遮熱効果を持つ。またスパッタリング法で、これらの金属を密着させることにより、密着強度が高く、且つ繊維の柔軟性を変えない為、加工し易いという特徴がある。
形態は、学童用帽子の外側の背面の下縁に、マジックテープを装着し、学童用日よけの縁にもマジックテープを装着し、互いに連結、固定できるようにした。これにより着脱が自由にでき、利便性を付与した。また学童用日よけの形状は、特に問わないが、うなじ、首、襟足を十分に覆う形状が望ましい。
【考案の効果】
【０００３】シミやソバカスの原因になり、さらに皮膚がんの原因ともなり、肌に有害とされる紫外線や赤外線の遮蔽効果に優れた機能を持ち、またスパッタリング法で、金属を不織布や織物などの基材に付着させても、基材本来の柔らかさや機能性、通気性が変わらない為、風通しが良く涼しい。
また自由に任意の大きさに裁断、加工も容易にすることができる。
【考案を実施するための最良の形態】
【０００４】  以下、本考案を実施するための最良の形態について説明する。図１は支持体に金属をスパッタリング法で密着させた図。図２は金属層と支持体からなる学童用日よけに、マジックテープを装着したものである。さらに、図３は学童用帽子の外側の背面の下縁に、マジックテープを装着し、互いに連結、固定できるようにした図。マジックテープの装着方法は縫製や接着による。図４は、子供が学童用日よけを装着した帽子を被った図である。学童用日よけの形状は、特に問わないが、うなじ、首、襟足を十分に覆う形状が望ましい。顔の側面にかかると、視野に影響し安全の面からも好ましくない。
このように使用することにより、紫外線や赤外線の遮蔽効果に優れ、また通気性があり、涼しい学童用日よけの機能を有する。
【図面の簡単な説明】
【０００５】
【図１】  本考案の学童用日よけの断面図である。
【図２】  学童用日よけに、マジックテープを装着した図である。
【図３】  帽子の外側の背面の下縁に、マジックテープを装着した図である。
【図４】  学童用日よけを装着した帽子を被った図である。
【符号の説明】
【０００６】    １−−−金属層
２−−−支持体
３−−−日よけ
４−−−マジックテープ
５−−−帽子
【図１】
0003114504.tif 000003
【図２】
0003114504.tif 000004
【図３】
0003114504.tif 000005
【図４】
0003114504.tif 000006
【手続補正書】
【提出日】平成17年6月22日(2005.6.22)
【手続補正１】
【補正対象書類名】実用新案登録請求の範囲
【補正対象項目名】全文
【補正方法】変更
【補正の内容】
【実用新案登録請求の範囲】
【請求項１】
布帛である支持体と、該支持体の片面もしくは両面に、金属層を形成すると共に、該金属層の表面または裏面に面ファスナーを装着した学童用日よけ。
【請求項２】
前記学童用日よけを、帽子に装着した面ファスナーと互いに連結して使用する学童用日よけ。
【請求項３】
請求項１において上記支持体はポリエステル、ナイロン、アクリル、ポリエチレン、ポリプロピレン、ポリウレタンなどの合成繊維、あるいはその混紡で形成されている織物、編物、不織布である学童用日よけ。
【請求項４】
請求項１において上記金属層はチタン、銀、銅、ステンレス、ニッケル、ゲルマニウムなどの金属、またはこれらの金属の合金を、スパッタリング法により密着させた金属層と支持体層からなる学童用日よけ。
【手続補正２】
【補正対象書類名】明細書
【補正対象項目名】全文
【補正方法】変更
【補正の内容】
【考案の詳細な説明】
【考案の開示】
【考案が解決しようとする課題】
【０００１】  従来、学童や幼稚園児は、校庭や園庭で遊んだり、体育の授業で外に出るとき、特に夏の日差しが強い時期は、帽子を被って日差しを防いでいる。しかし赤外線や紫外線による、熱射病や皮膚がんなどの予防対策を、積極的に防止する対策は今まであまり考えられてこなかった。農家の女性や、ゴルフ場のキャディーさんなどは、つば広の帽子に、布が縫い付けてあるものを被り、その布で首筋やほほの部分を覆い、紫外線や赤外線をしのいでいる。しかし遮熱効果は弱く、日焼けや、シミ、などに悩まされ、さらに皮膚がんの遠因にもなっている。本考案はこのような問題点を解消するために考案され、特に外で遊ぶことの多い子供たちを対象としたもので、紫外線や赤外線の遮蔽効果に優れ、暑さを防ぎ、布帛の柔らかさや通気性といった基材本来の機能を損なうことがなく、裁断や加工も容易な紫外線、赤外線防止布を提供することを目的とする。
【課題を解決するための手段】
【０００２】かかる目的を達成すべく、本考案の学童用日よけは、支持体にチタン、銀、銅、ステンレス、ニッケル、ゲルマニウムを単層または複層にスパッタリング法で加工する。またはこれらの金属の合金を、スパッタリング法で密着させた金属層と、布帛である支持体層からなる。
このように構成することにより、チタン、銀、銅、ステンレス、ニッケル、ゲルマニウムの極薄膜が繊維に密着し、紫外線や赤外線を吸収、放射し、高い遮熱効果を持つ。またスパッタリング法で、これらの金属を密着させることにより、密着強度が高く、且つ繊維の柔軟性を変えない為、加工し易いという特徴がある。
形態は、学童用帽子の外側の背面の下縁に、面ファスナーを装着し、学童用日よけの縁にも面ファスナーを装着し、互いに連結、固定できるようにした。これにより着脱が自由にでき、利便性を付与した。また学童用日よけの形状は、特に問わないが、後頭部と首、襟足を十分に覆う形状が望ましい。
【考案の効果】
【０００３】シミやソバカスの原因になり、さらに皮膚がんの原因ともなり、肌に有害とされる紫外線や赤外線の遮蔽効果に優れた機能を持ち、またスパッタリング法で、金属を不織布や織物などの基材に付着させても、基材本来の柔らかさや機能性、通気性が変わらない為、風通しが良く涼しい。
また自由に任意の大きさに裁断、加工も容易にすることができる。
【考案を実施するための最良の形態】
【０００４】  以下、本考案を実施するための最良の形態について説明する。図１は支持体に金属をスパッタリング法で密着させた図。図２は金属層と支持体層からなる学童用日よけに、面ファスナーを装着したものである。さらに、図３は学童用帽子の外側の背面の下縁に、面ファスナーを装着し、互いに連結、固定できるようにした図。面ファスナーの装着方法は縫製や接着による。図４は、子供が学童用日よけを装着した帽子を被った図である。学童用日よけの形状は、特に問わないが、後頭部と首、襟足を十分に覆う形状が望ましい。顔の側面にかかると、視野に影響し安全の面からも好ましくない。
このように使用することにより、紫外線や赤外線の遮蔽効果に優れ、また通気性があり、涼しい学童用日よけの機能を有する。
【図面の簡単な説明】
【０００５】
【図１】  本考案の学童用日よけの断面図である。
【図２】  学童用日よけに、面ファスナーを装着した図である。
【図３】  帽子の外側の背面の下縁に、面ファスナーを装着した図である。
【図４】  学童用日よけを装着した帽子を被った図である。
【符号の説明】
【０００６】  １−−−  金属層
２−−−  支持体層
３−−−  日よけ
４−−−  面ファスナー
５−−−  帽子
【手続補正３】
【補正対象書類名】図面
【補正対象項目名】図２
【補正方法】変更
【補正の内容】
【図２】
0003114504.tif 000007
【手続補正４】
【補正対象書類名】図面
【補正対象項目名】図３
【補正方法】変更
【補正の内容】
【図３】
0003114504.tif 000008